(57)【要約】      （修正有）【課題】指輪やペンダント、ネックレス、イヤリング類の身飾品を簡便でありながら装飾効果を高めて係止し載置できる身飾品ホルダーを提供する。【解決手段】指輪１、ブローチ２、ネックレス３類の身飾品Ａを着脱自在に係止可能なホルダーにおいて、筒状のホルダー体５が、芯材に接続された装飾部材Ｂの前記芯材の外周に被覆され、前記ホルダー体５の外周５ａに指輪１が嵌挿自在に形成されていると共に、前記ホルダー体５内の芯材に接続された前記装飾部材Ｂがホルダー体５の外部に配置されて成る。【選択図】図１
0003159148.tif 000002
【実用新案登録請求の範囲】
【請求項１】
指輪、ブローチ、ネックレス類の身飾品を着脱自在に係止可能なホルダーにおいて、
筒状のホルダー体が、芯材に接続された装飾部材の前記芯材の外周に被覆され、前記ホルダー体の外周に指輪が嵌挿自在に形成されていると共に、前記ホルダー体内の芯材に接続された前記装飾部材がホルダー体の外部に配置されて成ることを特徴とする身飾品ホルダー。
【請求項２】
ホルダー体が布製で形成され、前記ホルダー体にブローチの針が係止自在であることを特徴とする請求項１に記載した身飾品ホルダー。
【請求項３】
ホルダー体内の芯材に接続された装飾部材が、天然石やガラスダイヤ、ビーズ、リボン、チェーン類で形成されていることを特徴とする請求項１又は２に記載した身飾品ホルダー。
【請求項４】
ホルダー体内の芯材に接続された装飾部材が、造花又は生花であることを特徴とする請求項１〜３のいずれか１項に記載した身飾品ホルダー。
【請求項５】
ホルダー体内の芯材に接続された装飾部材に、一部が引っ掛けられたネックレスやチェーン類がホルダー体の外周に巻き付けられて係止されることを特徴とする請求項１〜４のいずれか１項に記載した身飾品ホルダー。
【請求項６】
ホルダー体又は装飾部材に、装飾用のリボン又はラッピング用の布が付設されていることを特徴とする請求項１〜５のいずれか１項に記載した身飾品ホルダー。
【考案の詳細な説明】
【技術分野】
【０００１】
本考案は、身飾品ホルダーに係り、さらに言えば、指輪やペンダント、ネックレス、イヤリング類の身飾品を係止して載置したり、教会や結婚披露宴等での指輪交換時に当該指輪を保持するリングピローとしても使用できる身飾品ホルダーの技術分野に関する。
【背景技術】
【０００２】
指輪やペンダント、ネックレスといった身飾品を、体裁よく奇麗に飾って展示したり保存したいという需要がある。また、身飾品を取り外して、そのままブーケのオブジェとして飾りたいといった需要もある。
【０００３】
例えば、下記文献１に係る実用新案登録第３１３６９６９号公報には、少なくとも正面側に展示物を保持して展示する展示面を有し下端部を差込部とする展示スタンドと、該展示スタンドの差込部と嵌合し合って展示スタンドを着脱可能に立設状態で支持する凹凸からなる受部をテーブル面に形成したテーブルとからなり、前記展示スタンドの展示面がパネル状に形成されるとともに、その上端がエッジ状に形成され、該エッジ状の上端に展示物を係止して保持させ、エッジ状の上端に正面視で凹凸状の多数の係止爪を形成し、該係止爪に展示物を吊り下げ状に係止する身飾品用陳列台が開示されている。
【先行技術文献】
【特許文献】
【０００４】
【特許文献１】実用新案登録第３１３６９６９号公報（請求項１、請求項８、請求項９、図２）
【考案の概要】
【考案が解決しようとする課題】
【０００５】
前記文献１の身飾品用陳列台は、スタンド形式で展示面が所定高さを有し、ネックス等の身飾品（展示物）が、エッジ状の上端に形成された凹凸状の多数の係止爪を形成され、該係止爪に身飾品が吊り下げ状に係止するものであり、多くの身飾品を多数の者が見る展示場には適しているかもしれないが、個人が大切な想い出の品として自分の部屋に置いたり、店舗でのちょっとした展示・陳列としては大掛かりで趣がなく装飾性に欠ける。
【０００６】
したがって、本考案が解決しようとする課題は、指輪やペンダント、ネックレス、イヤリング類の身飾品を簡便でありながら飾り付けのように装飾効果を高めて係止し載置できる身飾品ホルダーを提供することにある。
【課題を解決するための手段】
【０００７】
上記課題を解決するための手段として、請求項１記載の考案の身飾品ホルダーは、指輪１、ブローチ２、ネックレス３類の身飾品Ａを着脱自在に係止可能なホルダーにおいて、
筒状のホルダー体５が、芯材６に接続された装飾部材Ｂの前記芯材６の外周に被覆され、前記ホルダー体５の外周５ａに指輪１が嵌挿自在に形成されていると共に、前記ホルダー体５内の芯材６に接続された前記装飾部材Ｂがホルダー体５の外部に配置されて成ることを特徴とする。
【０００８】
請求項２記載の考案の身飾品ホルダーは、前記ホルダー体５が布製で形成され、前記ホルダー体５にブローチ２の針２ａが係止自在であることを特徴とする。
【０００９】
請求項３記載の考案の身飾品ホルダーは、前記ホルダー体５内の芯材６に接続された装飾部材Ｂが、天然石やガラスダイヤ、ビーズ、リボン、チェーン類で形成されていることを特徴とする。
【００１０】
請求項４記載の考案の身飾品ホルダーは、前記ホルダー体５内の芯材６に接続された装飾部材Ｂが、造花４又は生花であることを特徴とする。
【００１１】
請求項５記載の考案の身飾品ホルダーは、前記ホルダー体５内の芯材６に接続された装飾部材Ｂに、一部３ａが引っ掛けられたネックレス３やチェーン類がホルダー体５の外周５ａに巻き付けられて係止されることを特徴とする。
【００１２】
請求項６記載の考案の身飾品ホルダーは、前記ホルダー体５又は装飾部材Ｂに、装飾用のリボン７又はラッピング用の布が付設されていることを特徴とする。
【考案の効果】
【００１３】
請求項１の本考案の身飾品ホルダーは、筒状のホルダー体が、芯材に接続された装飾部材の前記芯材の外周に被覆され、ホルダー体の外周に指輪が嵌挿自在に形成されていると共に、ホルダー体内の芯材に接続された装飾部材がホルダー体の外部に配置されて成るので、特に指輪を係止する場合、前記ホルダー体の先端から指輪を挿し込んで奥の方へと指輪を移動させてやるだけで、簡単に係止できる利便性に優れている。
【００１４】
また、装飾部材がホルダー体の外部に配置されているので、当該ホルダー体に係止された指輪（身飾品）は、飾り付けの如く装飾効果を高められ、身飾品の単なる収納具・展示具としてではなく見た目にも奇麗な身飾品ホルダーが実現される。
【００１５】
さらには、教会や結婚披露宴等で指輪を交換する際に当該指輪を保持する所謂リングピローとしても使用できる副次的効果もある。
【００１６】
加えて、ホルダー体に係止した指輪等の身飾品を取り外して、そのままブーケのオブジェとして飾ることもできて便利である。
【００１７】
請求項２の本考案の身飾品ホルダーはホルダー体が布製で形成されているので、ブローチをホルダー体に係止する場合に、ブローチの針を楽に係止できて扱いやすい。
【００１８】
請求項３、４の本考案の身飾品ホルダーは、ホルダー体内の芯材に接続された装飾部材が、天然石やガラスダイヤ、ビーズ、リボン、チェーン類や造花・生花で形成されているから、ホルダー体に係止された身飾品が艶やかに際立つ。
【００１９】
また、請求項５の本考案のように、ネックレスやチェーン類を係止する場合、ホルダー体内の芯材に接続された装飾部材に、ネックレスの一部を引っ掛けた後、ホルダー体の外周に巻き付けることができ、ネックレスやチェーン類も奇麗に飾り付けを行うことができる。
【００２０】
さらに、請求項６の本考案のように、ホルダー体や装飾部材に、装飾用の大小様々なリボンを付設すれば、ホルダー体に係止された身飾品を、より一層装飾効果を高めて載置することができる。
【００２１】
或いは、ラッピング用の布で、前記装飾部材の花を包み込み、その下に前記リボンを配置させる等ニーズに応じて適宜変更使用することもできる。
【考案を実施するための最良の形態】
【００２２】
本考案に係る身飾品ホルダーの好適な実施形態を、以下図面にしたがって説明する。この身飾品ホルダーは、指輪１やブローチ２、ネックレス３といった身飾品Ａが着脱自在に構成されている。
【００２３】
本実施形態の身飾品ホルダーは、布製のホルダー体５が、芯材６に接続された装飾部材Ｂの前記芯材６の外周に被覆されて筒状に形成されている。このホルダー体５は、全長が約１４０ｍｍで直径が約２０ｍｍである。
【００２４】
線材で形成される芯材６は、ホルダー体５より短く形成されるのが好ましい（図２参照）。芯材６には装飾部材Ｂが接続され、その装飾部材Ｂがホルダー体５の外部に配置されている。
【００２５】
前記装飾部材Ｂとしては、装飾効果を高めるべく天然石やガラスダイヤ、ビーズ、リボン、チェーン類で形成する実施態様が好ましい。或いは造花４や生花をこの装飾部材Ｂに採用する形態も好適である。
【００２６】
また、前記ホルダー体５や装飾部材Ｂに、種々の色や大きさの装飾用のリボン７を付設する形態で実施すれば、より華やいでよい。
【００２７】
したがって、図４に示したように、前記ホルダー体５の先端５ｂから指輪１を嵌挿してそのまま移動させていくことにより、指輪１はホルダー体５の外周５ａにしっかりと係止される。ホルダー体５から当該指輪１を取り外す際も、指輪１をホルダー体５の先端５ｂの方向へと移動させて容易に離脱することができる。
【００２８】
また、布製のホルダー体５の外周５ａに対し、直接ブローチ２の針２ａを係止させて、ブローチ２をこのホルダー体５に係止することもできる（図１参照）。
【００２９】
さらに、ホルダー体５の外部に配置された装飾部材Ｂに、ネックレス３の一部３ａを引っ掛けた後、ネックレス３本体をホルダー体５の外周５ａに巻き付けて奇麗に係止する実施形態も採用される。
【００３０】
或いはまた、上述した天然石等の装飾部材Ｂをラッピングするように布で包み（図示は省略）、その下にリボン７を配置するといった種々の形態でも実施される。
【図面の簡単な説明】
【００３１】
【図１】身飾品ホルダーの使用状態を示した全体斜視図である。
【００３２】
【図２】ホルダー体の全体構成を示した側面図である。
【００３３】
【図３】身飾品ホルダーの先端部分を示した部分拡大図である。
【００３４】
【図４】ホルダー体への指輪の嵌挿要領を示した部分拡大図である。
【符号の説明】
【００３５】
Ａ      身飾品
Ｂ      装飾部材
１      指輪
２      ブローチ
２ａ    針
３      ネックレス
４      造花
５      ホルダー体
５ａ    外周
６      芯材
７      リボン
【図１】
0003159148.tif 000003
【図２】
0003159148.tif 000004
【図３】
0003159148.tif 000005
【図４】
0003159148.tif 000006
【手続補正書】
【提出日】平成22年3月3日(2010.3.3)
【手続補正１】
【補正対象書類名】明細書
【補正対象項目名】全文
【補正方法】変更
【補正の内容】
【考案の詳細な説明】
【技術分野】
【０００１】
本考案は、身飾品ホルダーに係り、さらに言えば、指輪やペンダント、ネックレス、イヤリング類の身飾品を係止して載置したり、教会や結婚披露宴等での指輪交換時に当該指輪を保持するリングピローとしても使用できる身飾品ホルダーの技術分野に関する。
【背景技術】
【０００２】
指輪やペンダント、ネックレスといった身飾品を、体裁よく奇麗に飾って展示したり保存したいという需要がある。また、身飾品を取り外して、そのままブーケのオブジェとして飾りたいといった需要もある。
【０００３】
例えば、下記文献１に係る実用新案登録第３１３６９６９号公報には、少なくとも正面側に展示物を保持して展示する展示面を有し下端部を差込部とする展示スタンドと、該展示スタンドの差込部と嵌合し合って展示スタンドを着脱可能に立設状態で支持する凹凸からなる受部をテーブル面に形成したテーブルとからなり、前記展示スタンドの展示面がパネル状に形成されるとともに、その上端がエッジ状に形成され、該エッジ状の上端に展示物を係止して保持させ、エッジ状の上端に正面視で凹凸状の多数の係止爪を形成し、該係止爪に展示物を吊り下げ状に係止する身飾品用陳列台が開示されている。
【先行技術文献】
【特許文献】
【０００４】
【特許文献１】実用新案登録第３１３６９６９号公報（請求項１、請求項８、請求項９、図２）
【考案の概要】
【考案が解決しようとする課題】
【０００５】
前記文献１の身飾品用陳列台は、スタンド形式で展示面が所定高さを有し、ネックス等の身飾品（展示物）が、エッジ状の上端に形成された凹凸状の多数の係止爪を形成され、該係止爪に身飾品が吊り下げ状に係止するものであり、多くの身飾品を多数の者が見る展示場には適しているかもしれないが、個人が大切な想い出の品として自分の部屋に置いたり、店舗でのちょっとした展示・陳列としては大掛かりで趣がなく装飾性に欠ける。
【０００６】
したがって、本考案が解決しようとする課題は、指輪やペンダント、ネックレス、イヤリング類の身飾品を簡便でありながら飾り付けのように装飾効果を高めて係止し載置できる身飾品ホルダーを提供することにある。
【課題を解決するための手段】
【０００７】
上記課題を解決するための手段として、請求項１記載の考案の身飾品ホルダーは、指輪１、ブローチ２、ネックレス３類の身飾品Ａを着脱自在に係止可能なホルダーにおいて、
筒状のホルダー体５が、芯材６に接続された装飾部材Ｂの前記芯材６の外周に被覆され、前記ホルダー体５の外周５ａに指輪１が嵌挿自在に形成されていると共に、前記ホルダー体５内の芯材６に接続された前記装飾部材Ｂがホルダー体５の外部に配置されて成ることを特徴とする。
【０００８】
請求項２記載の考案の身飾品ホルダーは、前記ホルダー体５が布製で形成され、前記ホルダー体５にブローチ２の針２ａが係止自在であることを特徴とする。
【０００９】
請求項３記載の考案の身飾品ホルダーは、前記ホルダー体５内の芯材６に接続された装飾部材Ｂが、天然石やガラスダイヤ、ビーズ、リボン、チェーンで形成されていることを特徴とする。
【００１０】
請求項４記載の考案の身飾品ホルダーは、前記ホルダー体５内の芯材６に接続された装飾部材Ｂが、造花４又は生花であることを特徴とする。
【００１１】
請求項５記載の考案の身飾品ホルダーは、前記ホルダー体５内の芯材６に接続された装飾部材Ｂに、一部３ａが引っ掛けられたネックレス３やチェーンがホルダー体５の外周５ａに巻き付けられて係止されることを特徴とする。
【００１２】
請求項６記載の考案の身飾品ホルダーは、前記ホルダー体５又は装飾部材Ｂに、装飾用のリボン７又はラッピング用の布が付設されていることを特徴とする。
【考案の効果】
【００１３】
請求項１の本考案の身飾品ホルダーは、筒状のホルダー体が、芯材に接続された装飾部材の前記芯材の外周に被覆され、ホルダー体の外周に指輪が嵌挿自在に形成されていると共に、ホルダー体内の芯材に接続された装飾部材がホルダー体の外部に配置されて成るので、特に指輪を係止する場合、前記ホルダー体の先端から指輪を挿し込んで奥の方へと指輪を移動させてやるだけで、簡単に係止できる利便性に優れている。
【００１４】
また、装飾部材がホルダー体の外部に配置されているので、当該ホルダー体に係止された指輪（身飾品）は、飾り付けの如く装飾効果を高められ、身飾品の単なる収納具・展示具としてではなく見た目にも奇麗な身飾品ホルダーが実現される。
【００１５】
さらには、教会や結婚披露宴等で指輪を交換する際に当該指輪を保持する所謂リングピローとしても使用できる副次的効果もある。
【００１６】
加えて、ホルダー体に係止した指輪等の身飾品を取り外して、そのままブーケのオブジェとして飾ることもできて便利である。
【００１７】
請求項２の本考案の身飾品ホルダーはホルダー体が布製で形成されているので、ブローチをホルダー体に係止する場合に、ブローチの針を楽に係止できて扱いやすい。
【００１８】
請求項３、４の本考案の身飾品ホルダーは、ホルダー体内の芯材に接続された装飾部材が、天然石やガラスダイヤ、ビーズ、リボン、チェーン類や造花・生花で形成されているから、ホルダー体に係止された身飾品が艶やかに際立つ。
【００１９】
また、請求項５の本考案のように、ネックレスやチェーン類を係止する場合、ホルダー体内の芯材に接続された装飾部材に、ネックレスの一部を引っ掛けた後、ホルダー体の外周に巻き付けることができ、ネックレスやチェーン類も奇麗に飾り付けを行うことができる。
【００２０】
さらに、請求項６の本考案のように、ホルダー体や装飾部材に、装飾用の大小様々なリボンを付設すれば、ホルダー体に係止された身飾品を、より一層装飾効果を高めて載置することができる。
【００２１】
或いは、ラッピング用の布で、前記装飾部材の花を包み込み、その下に前記リボンを配置させる等ニーズに応じて適宜変更使用することもできる。
【考案を実施するための最良の形態】
【００２２】
本考案に係る身飾品ホルダーの好適な実施形態を、以下図面にしたがって説明する。この身飾品ホルダーは、指輪１やブローチ２、ネックレス３といった身飾品Ａが着脱自在に構成されている。
【００２３】
本実施形態の身飾品ホルダーは、布製のホルダー体５が、芯材６に接続された装飾部材Ｂの前記芯材６の外周に被覆されて筒状に形成されている。このホルダー体５は、全長が約１４０ｍｍで直径が約２０ｍｍである。
【００２４】
線材で形成される芯材６は、ホルダー体５より短く形成されるのが好ましい（図２参照）。芯材６には装飾部材Ｂが接続され、その装飾部材Ｂがホルダー体５の外部に配置されている。
【００２５】
前記装飾部材Ｂとしては、装飾効果を高めるべく天然石やガラスダイヤ、ビーズ、リボン、チェーン類で形成する実施態様が好ましい。或いは造花４や生花をこの装飾部材Ｂに採用する形態も好適である。
【００２６】
また、前記ホルダー体５や装飾部材Ｂに、種々の色や大きさの装飾用のリボン７を付設する形態で実施すれば、より華やいでよい。
【００２７】
したがって、図４に示したように、前記ホルダー体５の先端５ｂから指輪１を嵌挿してそのまま移動させていくことにより、指輪１はホルダー体５の外周５ａにしっかりと係止される。ホルダー体５から当該指輪１を取り外す際も、指輪１をホルダー体５の先端５ｂの方向へと移動させて容易に離脱することができる。
【００２８】
また、布製のホルダー体５の外周５ａに対し、直接ブローチ２の針２ａを係止させて、ブローチ２をこのホルダー体５に係止することもできる（図１参照）。
【００２９】
さらに、ホルダー体５の外部に配置された装飾部材Ｂに、ネックレス３の一部３ａを引っ掛けた後、ネックレス３本体をホルダー体５の外周５ａに巻き付けて奇麗に係止する実施形態も採用される。
【００３０】
或いはまた、上述した天然石等の装飾部材Ｂをラッピングするように布で包み（図示は省略）、その下にリボン７を配置するといった種々の形態でも実施される。
【図面の簡単な説明】
【００３１】
【図１】身飾品ホルダーの使用状態を示した全体斜視図である。
【００３２】
【図２】ホルダー体の全体構成を示した側面図である。
【００３３】
【図３】身飾品ホルダーの先端部分を示した部分拡大図である。
【００３４】
【図４】ホルダー体への指輪の嵌挿要領を示した部分拡大図である。
【符号の説明】
【００３５】
Ａ      身飾品
Ｂ      装飾部材
１      指輪
２      ブローチ
２ａ    針
３      ネックレス
４      造花
５      ホルダー体
５ａ    外周
６      芯材
７      リボン
【手続補正２】
【補正対象書類名】実用新案登録請求の範囲
【補正対象項目名】全文
【補正方法】変更
【補正の内容】
【実用新案登録請求の範囲】
【請求項１】
指輪、ブローチ、ネックレス類の身飾品を着脱自在に係止可能なホルダーにおいて、
筒状のホルダー体が、芯材に接続された装飾部材の前記芯材の外周に被覆され、前記ホルダー体の外周に指輪が嵌挿自在に形成されていると共に、前記ホルダー体内の芯材に接続された前記装飾部材がホルダー体の外部に配置されて成ることを特徴とする身飾品ホルダー。
【請求項２】
ホルダー体が布製で形成され、前記ホルダー体にブローチの針が係止自在であることを特徴とする請求項１に記載した身飾品ホルダー。
【請求項３】
ホルダー体内の芯材に接続された装飾部材が、天然石やガラスダイヤ、ビーズ、リボン、チェーンで形成されていることを特徴とする請求項１又は２に記載した身飾品ホルダー。
【請求項４】
ホルダー体内の芯材に接続された装飾部材が、造花又は生花であることを特徴とする請求項１〜３のいずれか１項に記載した身飾品ホルダー。
【請求項５】
ホルダー体内の芯材に接続された装飾部材に、一部が引っ掛けられたネックレスやチェーンがホルダー体の外周に巻き付けられて係止されることを特徴とする請求項１〜４のいずれか１項に記載した身飾品ホルダー。
【請求項６】
ホルダー体又は装飾部材に、装飾用のリボン又はラッピング用の布が付設されていることを特徴とする請求項１〜５のいずれか１項に記載した身飾品ホルダー。